(57)【特許請求の範囲】
【請求項１】
電圧を機器に供給する電気的電源装置と、
電源電圧の切断を検出する電気的パワー切断検出回路と、
上記電気的電源装置によって給電され、上記機器のネットワークへの接続を許可する起動データ及び認証データを記憶するメモリと、
上記メモリに記憶されている上記データをローディングする装置と、
上記機器を初期化する再起動装置とを含み、
一時的な電気的パワー切断後に実行される前記メモリのチェックの結果、上記メモリに記憶された上記データに間違いがある場合に上記再起動装置を運転状態に切り換える制御装置を更に有し、前記チェックの結果、上記データに間違いがない場合には上記メモリに記憶されている上記データが上記ローディング装置にローディングされ、
上記電気的電源装置は再充電可能式バッテリによって形成され、
上記充電器が存在する場合には前記メモリをチェックすることなく上記再起動装置の運転が禁止されることを特徴とする機器。
【請求項２】
上記制御装置は、上記電気的パワー切断検出回路が一時的な電気的パワー切断を検出した後に、上記データが上記メモリから読み出される場合に、上記メモリに記憶されている上記データに間違いがないかチェックすることを特徴とする、請求項１記載の機器。
【請求項３】
上記制御装置は、該バッテリを充電するための充電器の存在を示す配線に接続されている入力を備えることを特徴とする請求項１乃至２のうちいずれか一項記載の機器。
【請求項４】
請求項１乃至３のうちいずれか一項記載の機器を起動及び再起動する方法であって、上記制御装置はプロセッサであり、上記メモリはランダムアクセスメモリであり、
一時的な電気的パワー切断が検出されたときに、上記ランダムアクセスメモリに記憶されているデータに間違いがないか試験され、
上記ランダムアクセスメモリのデータが上記一時的な電気的パワー切断中に変化しなかった場合に、上記再起動装置を運転状態に切り換えないことを特徴とする方法。
【発明の詳細な説明】
【０００１】
【発明の属する技術分野】
本発明は、電圧を機器に供給する電気的電源装置と、
電源電圧の切断を検出する電気的パワー切断検出回路と、
上記電気的電源装置によって給電されるメモリと、
上記メモリへローディングする装置と、
上記機器を初期化する再起動装置とを含む機器に関する。
【０００２】
本発明は、電源電圧が切断された装置を起動並びに再起動する方法にも関する。
【０００３】
本発明の適用分野は、セルラー無線電話網の一部を形成する携帯電話機である。
【０００４】
【従来の技術】
上記のタイプの機器に生じる問題は、機器の電気的パワー切断による望ましくないスイッチ断である。このような事態は、たとえば、電源電圧を非常に短時間だけ切断させる機械的衝撃によって発生する。この非常に短時間の電気的パワー切断の後、この電気的パワー切断を検出する必要があり、その検出後、ある種の測定が行われる必要がある。この課題に関しては、文献：欧州特許出願EP 0 607
919で検討されている。
【０００５】
上記文献では、パワー切断中に電気的パワーを供給する補助バッテリの存在を前提として、電源電圧の微小切断の間隔がカウンタによって測定され、種々の測定がこの間隔と関連して行われる。
【０００６】
【発明が解決しようとする課題】
本発明は、補助バッテリや非常に複雑な回路を必要とすることなく、非常に短時間の電気的パワー切断後に、機器の動作をより確実に回復させることを目的とする。
【０００７】
【課題を解決するための手段】
上記目的を達成するため、上述のタイプの機器は、メモリの完全性が失われた場合に、再起動装置を運転状態に切り換えるため、メモリの完全性を制御する制御装置を更に有することを特徴とする。
【０００８】
上記機器が電気的電源の回復前に停止したとき、再起動装置を運転状態に切り換える必要は無くなる。
【０００９】
起動及び再起動方法は、非常に短時間の電気的パワー切断が検出されたとき、ランダムアクセスメモリの完全性が試験され、再起動プロセスは、ランダムアクセスメモリの内容が上記の非常に短時間の電気的パワー切断中に変更されていない場合に、簡単化されることを特徴とする。
【００１０】
【発明の実施の形態】
本発明の上記局面及びその他の局面は、以下に添付図面を参照して、例を用いてその例に限定されることなく明らかにされ、解説される。
【００１１】
図１は、本発明による機器１の説明図である。以下に説明する例の範囲内で、この機器は、セルラー型携帯電話機である。この機器は、アンテナ７が接続されたトランシーバー回路３と、キーボード５と、機器の機能性を制御するためランダムアクセスメモリ１２と協働するプロセッサ１０とを含む。この機器は、電圧ＶＳを供給するバッテリ１５によって給電される。さらに、バッテリ充電器１６が電気的パワーを機器に供給し、バッテリを再充電するため設けられる。このバッテリ充電器の有無は、配線ＣＨＡＲＧを介して伝達される信号によって検出される。
【００１２】
ランダムアクセスメモリ１２は、ネットワークへの接続を許可する起動データ及び認証データを収容する。バッテリによって供給された電源電圧のやや短時間の切断が生じた場合、ランダムアクセスメモリ１２は、電気的パワーが供給されなくなる危険性があり、その内容が消去される可能性がある。電気的パワーが切断された後、メモリに接続用の有用なデータを再ローディングするため、起動及び認証プロセスを再開することが賢明であるならば、キーパッド５を用いてパスワードに関連したデータを入力することになる。このプロセスは、長い時間を要し、ユーザにとって厄介なプロセスであることに注意する必要がある。また、ランダムアクセスメモリ１２は、コンデンサ１７を介してバッテリによって給電されることを考慮する必要がある。非常に短時間の電気的パワー切断がコンデンサ１７の放電期間よりも短期間であるならば、メモリの内容は破壊されずに保持され、ユーザのネットワークとの起動及び認証プロセスを再開する必要はない。
【００１３】
望ましくない起動処理を回避するため、機器１は、メモリの完全性を制御する制御装置を含む。制御装置とは、完全性制御を運転状態に切り換えるプロセッサ１０が非常に短時間の電気的パワー切断の検出に関与することを意味する。この検出は、信号
【００１４】
【外１】
0004815560.tif 000002
を、この信号の立ち上がりエッジに感応する誘導回路３０に供給する電源分配回路２０によって行われる。以下の説明では、この信号を、反転ＲＳと記す。この反転ＲＳ信号は、検出された信号が閾値ＶＲ、たとえば、公称バッテリ電圧の半分よりも低い場合に、値”０”をとる。バッテリ電圧ＶＳがＶＲよりも高くなるとき、この反転ＲＳ信号は、期間ＴＳの経過後に、値”１”をとる。
【００１５】
論理信号ＰＷＯＮは、プロセッサ１０によって生成される。この論理信号の値は、特に、メモリ１２の完全性の検出プロセスに依存する。この信号は、その値が”１”であるとき、誘導回路３０の出力信号を０にセットする。
【００１６】
加算器回路３２は、誘導回路３０の出力３０Ｓ上の信号を、配線ＣＨＡＲＧを介して伝達された信号に加算する。加算器回路３２の出力信号は、出力信号がアクティブ状態にあるとき、起動プロセスをオンに設定するため、プロセッサ１０の入力ＩＧＮへ供給される。
【００１７】
図２のタイミングチャートは、機器の機能性を説明するための図である。時点ｔ１において、非常に短時間の電気的パワー切断が生じた場合を考える。電圧は、急速に閾値ＶＲよりも低下するので、反転ＲＳ信号は、直ちに、時点ｔ２である時間間隔に亘って値”０”を取る。次に、時点ｔ３で、立ち上がりエッジＲＳが現れる。誘導回路３０において、図２の曲線（３０Ｒ）で示される形状を有する伝達が得られる。この電圧は、急速に上昇し、誘導回路３０を構成するコンデンサの電荷損失のため緩やかに下降する。プロセッサによって検出された立ち上がりエッジは、所定の時間間隔（実際上、約３２ｍｓ）に亘って信号ＰＷＯＮの値を”１”に一致させ、次に、信号ＰＷＯＮが次にとる値”０”は、出力３０Ｓへの信号３０Ｒの伝送を許可し、これにより、メモリ１２の内容の完全性を試験するプロセスを開始するパルスの始まりが作成される。このパルスの始まりは、入力ＩＧＮへ供給される。
【００１８】
時点ｔ５で、信号ＰＷＯＮは、値”１”を回復し、入力ＩＮＧのパルスを切断する。
【００１９】
時点ｔ６は、メモリ１２の完全性を照合するプロセスからの結果を決定する処理に対応する。メモリ１２の内容に間違いがないと考えられるとき、信号ＰＷＯＮは値”１”を維持し、間違いがあると考えられるとき、信号ＰＷＯＮは値”０”に変化する。
【００２０】
図３には、反転ＲＳ信号の立ち上がりエッジが現れたときの動作ステップのフローチャートが示されている。これらのステップには、図２の時点ｔ３とｔ４の間でのＰＷＯＮのパルスの形成が含まれる。ステップＫ１は、反転ＲＳ信号の立ち上がりエッジの出現を示し、ステップＫ３は、信号ＰＷＯＮが”１”にセットされたことを示し、ステップＫ５は、パルスがある幅τを有することを示し、ステップＫ７は、最終的に信号ＰＷＯＮが”０”にセットされたことを示す。
【００２１】
この時点以降、プロセスは、図４に示されるように、信号ＩＧＮによって判定される。
【００２２】
ステップＫ１０には、信号ＩＧＮが値”１”をとるプロセスの開始が示されている。ステップＫ１２は、信号ＰＷＯＮの値が強制的に”１”にされることを示す。次に、ステップＫ１５において、信号ＩＧＮの新たな試験が行われる。この信号ＩＧＮの値が”１”に一致する場合、充電器が分岐され、信号”１”が配線ＣＨＡＲＧによって加算器回路３２を介して伝達される。このタイプの状況に割り当てられた仕事、たとえば、画面の照明などが行われる（ステップＫ２０）。信号ＩＧＮが値”１”をとらないとき、メモリ１２に記憶された完全性情報が検査され（ステップＫ２２）、続いて、その完全性情報が試験される（ステップＫ２５）。全てが正しい場合、プロセッサのデータは再構成され、レジスタには、メモリ１２に格納されたデータが再ローディングされ、メモリ１２にはこの種の情報が保存される（ステップＫ２８）。メモリは、メモリ自体の性質と、コンデンサ１７の存在とによって、非常に短時間の電気的パワー切断には殆ど感応しないことに注意する必要がある。
【００２３】
ステップＫ２５の試験の結果が否定的である場合、信号ＰＷＯＮは“０”にセットされ（ステップＫ３０）、再起動及び認証プロセスはオン状態にセットされる（ステップＫ３２）。
【００２４】
マイクロプロセッサの単一の入力ＩＧＮは、充電器１６が充電可能バッテリ１５を再充電するため分路されたときに、非常に短い電気的パワー切断のデータを処理し、機器を管理するため使用されることがわかる。
【００２５】
また、メモリ１２の完全性は、開始時にセットされた値が読み出し時に異なるときには認められないことがわかる。メモリ１２に格納された論理値が、メモリに長時間電気的パワーが供給されていないときのメモリの初期状態に対応する値”０”を有する場合、メモリの完全性は失われ、メモリの内容は消去されている。
【図面の簡単な説明】
【図１】本発明による機器の説明図である。
【図２】機器の再起動回路のタイミングチャートである。
【図３】本発明による機器の動作を説明するフローチャートである。
【図４】本発明による機器の動作を説明する別のフローチャートである。
【符号の説明】
１    機器
３    トランシーバー回路
５    キーボード
７    アンテナ
１０    プロセッサ
１２    ランダムアクセスメモリ
１５    バッテリ
１６    バッテリ充電器
１７    コンデンサ
２０    電源分配回路
３０    誘導回路
３０Ｓ    誘導回路出力
３２    加算器回路
【図１】
0004815560.tif 000003
【図２】
0004815560.tif 000004
【図３】
0004815560.tif 000005
【図４】
0004815560.tif 000006